(57)【要約】    【課題】搬送路と通ずる被記録媒体排出口又は被記録媒体挿入口として、装置筐体の外周面下部に開口が形成された画像記録装置において、該開口から装置内部へ異物が進入することを防止する手段を提供する。    【解決手段】  本複合機１は、搬送路２３と通ずる排紙口２２として、外周面下部に開口が形成されたプリンタ筐体２０を有し、記録用紙Ｐを搬送路２３へ搬送して画像記録を行うものであって、排紙口２２を閉鎖する閉姿勢と開通する開姿勢との間で姿勢変化する排紙口開閉弁２８を具備してなるものである。【選択図】  図２
2006205541.tif 000002
【特許請求の範囲】
【請求項１】
搬送路と通ずる被記録媒体排出口又は被記録媒体挿入口として、外周面下部に開口が形成された装置筐体を有し、被記録媒体を該搬送路へ搬送して画像記録を行う画像記録装置であって、上記開口を閉鎖する閉姿勢と開通する開姿勢との間で姿勢変化する搬送路開閉弁を具備してなる画像記録装置。
【請求項２】
上記搬送路開閉弁は、被記録媒体が上記搬送路を搬送されない場合に上記搬送路開閉弁を閉姿勢とし、被記録媒体が上記搬送路を搬送される場合に上記搬送路開閉弁を開姿勢とするように動作されるものである請求項１に記載の画像記録装置。
【請求項３】
上記搬送路開閉弁は、常時閉姿勢となるように弾性付勢され、被記録媒体が上記搬送路を搬送される場合に駆動力が付与されて開姿勢となるように動作されるものである請求項１に記載の画像記録装置。
【請求項４】
上記搬送路開閉弁は、常時閉姿勢となり、且つ、上記搬送路を搬送されている被記録媒体が閉姿勢の搬送路開閉弁に当接して押進することにより、該搬送路開閉弁が開姿勢となるように弾性付勢されたものである請求項１に記載の画像記録装置。
【請求項５】
上記開口付近の搬送路に、被記録媒体に画像を記録する画像記録部が配設されたものである請求項１から４のいずれかに記載の画像記録装置。
【請求項６】
被記録媒体挿入口である開口が、被記録媒体排出口である開口が形成された装置筐体の外周面と反対側の外周面に形成されたものである請求項１から５のいずれかに記載の画像記録装置。
【請求項７】
上記装置筐体は、扁平薄箱状のものであって、該装置筐体の厚みの延びる方向を縦方向として設置される縦置き型のものである請求項１から６のいずれかに記載の画像記録装置。
【発明の詳細な説明】
【技術分野】
【０００１】
本発明は、搬送路と通ずる被記録媒体排出口又は被記録媒体挿入口として、外周面下部に開口が形成された装置筐体を有し、被記録媒体を該搬送路へ搬送して画像記録を行う画像記録装置に関するものである。
【背景技術】
【０００２】
従来より、装置筐体内で被記録媒体を搬送して画像記録を行う画像記録装置として、多機能装置（ＭＦＤ：Multi Function Device）と呼ばれるものが知られている。図１３は、従来の画像記録装置の外観構成を示すものであるが、図に示すように、画像記録装置９０は、下部にプリンタ部９１を、上部にスキャナ部９２を一体的に備えた多機能装置であり、プリンタ部９１は、主に不図示のコンピュータと接続されて、該コンピュータから送信された画像データや文書データに基づいて、記録用紙に画像や文書を記録するものであり、スキャナ部９２は、各種原稿の画像データを読み取って画像データに変換し、該画像データをコンピュータ等に出力するものである。
【０００３】
図に示すように、プリンタ部９１は、正面に開口９３が形成されており、該開口９３に露出するようにして給紙トレイ９４及び排紙トレイ９５が上下２段に設けられている。プリンタ部９１の内部には、該給紙トレイ９４と排紙トレイ９５とを連続させるようにして横向き略Ｕ字状の搬送路が形成されており、該搬送路中にインクジェット記録ヘッドを搬送路幅方向に走査させてインク滴を吐出させる記録ユニットが配設されている。このようなプリンタ部９１により、給紙トレイ９４に収容された記録用紙が、不図示の搬送ローラ等の搬送手段によりプリンタ部９１内の搬送路へ給送され、該搬送路中において記録ユニットにより所望の画像が記録された後、排紙トレイ９５へ排出されて画像記録が行われる。
【０００４】
また、スキャナ部９２は、所謂フラットベッドスキャナとして構成されており、画像記録装置９０の天板として開閉自在に設けられた原稿カバー９６の下側に、プラテンガラス及びイメージスキャナ（不図示）が設けられており、該イメージスキャナが所定方向に走査されて、プラテンガラス上に載置された原稿の画像を読み取るようになっている。
【０００５】
上記画像記録装置９０のプリンタ部９１のように、記録面がほぼ水平となる姿勢で記録用紙を給紙トレイ９４又は排紙トレイ９５で保持するものでは、図に示すように、幅及び奥行きが厚み（高さ）より大きい扁平薄箱状の装置筐体を、厚みの延びる方向が横方向となるように設置する横置き型となる。しかし、横置き型の画像記録装置は設置のための床面積が大きいので、設置スペースを小さくするために、装置筐体の厚みの延びる方向を縦方向とした縦置き型の画像記録装置が提案されている（例えば特許文献１参照）。
【０００６】
【特許文献１】特開２００３−１２７４８４号公報
【発明の開示】
【発明が解決しようとする課題】
【０００７】
上記画像記録装置９０のように横置き型のものでは、排紙トレイ９５への搬送路の出口となる排紙口は側方へ向いており、さらに、排紙口の上方にはスキャナ部９２等が設けられているので、図に示すように、該排紙口は開口９３の奥側となり、排紙口からゴミや塵埃等の異物が装置内部に進入するおそれは少ない。しかし、縦置き型の画像記録装置では、例えばＬ字状に搬送路が構成されて、排紙口が装置筐体の下部に開口するように設けられていると、該排紙口から装置筐体内へ塵埃やゴミ等の異物が進入するおそれがある。また、手差し用の用紙挿入口が、同様に装置筐体の下部に開口するように設けられることもあり、同様に、該用紙挿入口から装置筐体内へ異物が進入するおそれがある。特に、縦置き型の画像記録装置は、不使用時にデスク下等の空きスペースとなる床面に収納されていることが多いため、装置筐体の開口から塵埃や虫等が装置筐体内へ進入するおそれが高いと考えられる。装置筐体内へ進入した塵埃等の異物にインクが付着して搬送路へ堆積すると、該搬送路を搬送される記録用紙が上記塵埃等と接触して汚れるという問題が生じる。また、インクジェット記録ヘッド等の画像記録部が装置の底部近傍に配設されている場合には、装置筐体内へ進入した異物により、インクジェット記録ヘッドの操作不良やインクの吐出不良が生じ、記録画像に影響を及ぼすおそれがある。
【０００８】
本発明は、かかる問題に鑑みてなされたものであり、搬送路と通ずる被記録媒体排出口又は被記録媒体挿入口として、装置筐体の外周面下部に開口が形成された画像記録装置において、該開口から装置内部へ異物が進入することを防止する手段を提供することを目的とする。
【課題を解決するための手段】
【０００９】
本発明は、搬送路と通ずる被記録媒体排出口又は被記録媒体挿入口として、外周面下部に開口が形成された装置筐体を有し、被記録媒体を該搬送路へ搬送して画像記録を行う画像記録装置であって、上記開口を閉鎖する閉姿勢と開通する開姿勢との間で姿勢変化する搬送路開閉弁を具備してなるものである。搬送路開閉弁を閉姿勢とすることにより装置筐体の開口が閉鎖されるので、該開口からゴミや埃、虫等の異物が装置筐体内に進入することが防止される。また、搬送路開閉弁を開姿勢とすることにより開口が開放され、搬送路からの被記録媒体の排出又は搬送路へ被記録媒体の給送が許容される。
【００１０】
また、本発明は、上記画像記録装置において、上記搬送路開閉弁は、被記録媒体が上記搬送路を搬送されない場合に上記搬送路開閉弁を閉姿勢とし、被記録媒体が上記搬送路を搬送される場合に上記搬送路開閉弁を開姿勢とするように動作されるものである。これにより、被記録媒体の搬送に連動して上記搬送路開閉弁の姿勢が自動的に変化するので、搬送路開閉弁を閉姿勢とした状態で被記録媒体を搬送したり、不使用時に搬送路開閉弁を開姿勢で放置することがない。
【００１１】
また、本発明は、上記画像記録装置において、上記搬送路開閉弁は、常時閉姿勢となるように弾性付勢され、被記録媒体が上記搬送路を搬送される場合に駆動力が付与されて開姿勢となるように動作されるものである。これにより、被記録媒体が排出されるときのみ開口が開放され、それ以外は搬送路開閉弁により開口が閉鎖されるので、該開口から装置筐体内への異物の進入を確実に防ぐことができる。
【００１２】
また、本発明は、上記画像記録装置において、上記搬送路開閉弁は、常時閉姿勢となり、且つ、上記搬送路を搬送されている被記録媒体が閉姿勢の搬送路開閉弁に当接して押進することにより、該搬送路開閉弁が開姿勢となるように弾性付勢されたものである。これにより、被記録媒体が排出されるときのみ開口が開放され、それ以外は搬送路開閉弁により開口が閉鎖されるので、該開口から装置筐体内への異物の進入を確実に防ぐことができる。
【００１３】
また、本発明は、上記画像記録装置において、上記開口付近の搬送路に、被記録媒体に画像を記録する画像記録部が配設されたものである。上記開口付近に画像記録部が配設されることにより、該画像記録部が開口から装置筐体内へ進入したゴミや埃、虫等の異物の影響を受けやすいので、該異物の進入防止効果が顕著に発揮される。
【００１４】
また、本発明は、上記画像記録装置において、被記録媒体挿入口である開口が、被記録媒体排出口である開口が形成された装置筐体の外周面と反対側の外周面に形成されたものである。装置筐体の両側の側面に、被記録媒体排出口である開口と被記録媒体挿入口である開口が形成されることにより、これら開口から装置筐体内へ異物が進入しやすいので、これら開口に設けられた搬送路開閉弁による異物の進入防止効果が顕著に発揮される。
【００１５】
また、本発明は、上記画像記録装置において、上記装置筐体は、扁平薄箱状のものであって、該装置筐体の厚みの延びる方向を縦方向として設置される縦置き型のものである。縦置き型の画像記録装置は、床上に設置されることが多く、特に上記開口から埃や虫等の異物が装置筐体内に進入しやすいので、該開口に設けられた搬送路開閉弁による異物の進入防止効果が顕著に発揮される。
【発明の効果】
【００１６】
このように、本発明に係る画像記録装置によれば、搬送路開閉弁を閉姿勢とすることにより装置筐体の開口が閉鎖され、該開口からゴミや埃、虫等の異物が装置筐体内に進入することが防止されるので、異物により惹起される動作不良がなく、安定的な画像記録動作が実現されるという利点がある。特に、縦置き型の画像記録装置では、床に設置して使用されたり、不使用時に床に載置して保管されることが多いので、本発明の効果が顕著に発揮される。
【発明を実施するための最良の形態】
【００１７】
以下、適宜図面を参照して本発明の実施形態を説明する。
図１は、本発明の実施の形態に係る複合機１（画像記録装置）の外観構成を示すものである。本複合機１は、背面側にプリンタ部２を、正面側にスキャナ部３を一体的に備えた多機能装置（ＭＦＤ：Multi Function Device）であり、プリンタ機能とスキャナ機能とを併有するものである。なお、複合機１のうちプリンタ部２が本発明に係る画像記録装置に相当し、プリンタ機能以外の機能は任意のものである。したがって、スキャナ部３がなく、スキャナ機能やコピー機能を有しない単機能のプリンタであっても、さらに通信部を備えてファクシミリ機能等を有するものであってもよい。
【００１８】
複合機１は、主に不図示のコンピュータと接続されて、プリンタ部２が、該コンピュータから送信された画像データや文書データに基づいて、記録用紙に画像や文書を記録し、スキャナ部３が、各種原稿の画像データを読み取って画像データに変換し、該画像データをコンピュータ等に出力するものであるが、その他、デジタルカメラと接続されてデジタルカメラから出力される画像データを記録用紙に記録したり、各種記録媒体を装填して、該記録媒体に記録された画像データ等を記録用紙に記録することも可能である。
【００１９】
図に示すように、複合機１のプリンタ筐体２０（装置筐体）は、その幅Ｗ及び高さＴが、画像記録が可能な最大幅の記録用紙、例えばＡ４サイズの記録用紙に対応しており、該記録用紙を収容でき且つ装置内を搬送可能なように、Ａ４サイズより幅Ｗ及び高さＴが幾分大きいものである。これに対し、奥行きＤは、幅Ｗ及び高さＴのいずれよりも小さく、プリンタ筐体２０の全体形状は扁平薄箱状である。本複合機１は、このようなプリンタ筐体２０が、厚みの延びる方向、すなわちプリンタ筐体２０の側面の長尺方向を縦方向（ｚ軸方向）として設置される縦置き型のものである。このように、複合機１を縦置き型とすることにより、複合機１の小型化及び薄型化が実現され、複合機１を設置するための床面積を小さくなるとともに、可搬性が向上する。
【００２０】
上記プリンタ筐体２０の背面側には不図示の記録用紙収容部２１が形成されており、また、プリンタ筐体２０の正面側の外周面下部には排紙口２２（被記録媒体排出口）が正面側へ向かって開口されている。詳細については後述するが、記録用紙収容部２１から排紙口２２へは、搬送路２３が形成されており、該搬送路２３においてインクジェット記録ヘッド２４により画像記録が行われた記録用紙が、該排紙口２２から正面側へ排出されるようになっている。また、後述するように、プリンタ筐体２０の背面側の外周面下部には、記録用紙を手差しで挿入するための開口として手差し用挿入口２５（被記録媒体挿入口）が形成されている。
【００２１】
また、プリンタ筐体２０には、正面側及び背面側には、上記排紙口２２及び手差し用挿入口２５にそれぞれ対応した排紙トレイ４及び手差し用トレイ５が、底面から正面側又は背面側へ突出するように設けられている。排紙トレイ４は、画像記録を終えて排紙口２２から排出された記録用紙を保持するためのものであり、手差し用トレイ５は、厚紙や規格外サイズの紙等を記録用紙として手差し用挿入口２５から挿入する際に、該記録用紙を所定位置に保持するためのものである。また、排紙トレイ４及び手差し用トレイ５は、縦置きとされた複合機１の転倒を防止するための支持足の役割も果たしている。なお、排紙トレイ４及び手差し用トレイ５を設けることにより、複合機１の設置面積が広くなるので、これらは必要に応じてプリンタ筐体２０に着脱可能なものとすることが好適である。
【００２２】
また、プリンタ筐体２０の上面には、本複合機１を操作するための操作パネル６が配設されている。操作パネル６は複合機１の各種設定等を行うための各種操作ボタンや画面表示部から構成されており、複合機１は、該操作パネル６からの操作指示によっても、コンピュータに接続されて該コンピュータからプリンタドライバ又はスキャナドライバを介して送信される指示によっても動作するようになっている。また、プリンタ筐体２０の上面は正面側へ向かって下方へ傾斜しており、上記操作パネル６も該傾斜に対応して配設されている。これにより、操作パネル６の各種操作ボタンが正面側及び上面側のいずれの方向からも視認して操作できるので、複合機１を卓上又は床上のいずれに設置しても、視認性や操作性がよいという利点がある。
【００２３】
また、プリンタ筐体２０の側面には、記録媒体である各種小型メモリカードを装填可能なスロット部７が設けられており、図に示すように、使用しない際には開閉自在の扉により開口が封止されてゴミ等の異物の進入が防止されている。該スロット部７に小型メモリカードを装填し、該小型メモリカードに記録された画像データを読み出して、任意の画像をプリンタ部２により記録用紙に記録させることが可能である。
【００２４】
さらに、プリンタ筐体２０の側面には、例えばシアン（Ｃ）・マゼンダ（Ｍ）・イエロー（Ｙ）・ブラック（Ｋ）の各色インクのインクカートリッジが装填されるインクカートリッジ格納部８が設けられており、上記スロット部７と同様に、インクカートリッジの交換を行わない場合には、開閉自在の扉により開口が封止されてゴミ等の異物の進入が防止されている。上記スロット部７とインクカートリッジ格納部８との位置関係は任意であるが、図に示すように、インクカートリッジ格納部８の上側にスロット部７を配置することにより、インクカートリッジ格納部８においてインク漏れ等が生じても、小型メモリカードやスロット部７の電子部品が、該インクにより汚染されることがないので好適である。
【００２５】
また、プリンタ筐体２０の上部には、上記操作パネル６と干渉しないようにＵ字状に形成された把手９が、プリンタ筐体２０の上面に倒伏又は起立するように揺動可能に設けられている。該把手９は、複合機１を持ち運ぶ際には、図に示すように、上面から起立する姿勢となって持ち手となり、不使用の際には、上面へ倒伏するように揺動されて、プリンタ筐体２０の外周面を構成する。
【００２６】
スキャナ部３は、所謂フラットベッドスキャナとして構成されている。図に示すように、スキャナ部３のスキャナ筐体３０は、その幅及び高さが、画像読取りが可能な最大原稿、例えばＡ４サイズの原稿に対応して、Ａ４サイズより幅及び高さが幾分大きく、これに対し、厚み（奥行き）は、幅及び高さのいずれよりも小さく、スキャナ筐体３０の全体形状は扁平薄箱状である。スキャナ部３の読取面は、スキャナ筐体３０の一面として構成されており、図には表れていないが、上記プリンタ筐体２０の正面側の外周面と対向している。また、スキャナ筐体３０の下端側は上記プリンタ筐体２０に枢着されており、スキャナ筐体３０の上端側が正面側へ開閉可能となっている。
【００２７】
このようなスキャナ部３は、使用しない場合には、図に示すように、プリンタ筐体２０の厚み方向とスキャナ筐体３０の厚み方向とを同方向として、装置全体の外形が扁平薄箱状となり、該装置全体の厚みの延びる方向が縦方向となるように設置され、複合機１全体として縦置き型となっている。また、スキャナ部３を使用する際には、スキャナ筐体３０の上端部に形成された掴持部３１を掴んでスキャナ筐体３０を正面側へ傾斜させ、読取面を構成するプラテンガラスに所望の原稿を位置せしめて、該原稿の画像をイメージセンサで読み取るようになっている。
【００２８】
図２は、複合機１の内部構成を示すものである。図に示すように、プリンタ部２は、上記プリンタ筐体２０に内包されるようにして、記録用紙収容部２１、搬送路２３、インクジェット記録ヘッド２４、プラテン２６、電装部品２７、排紙口開閉弁２８（搬送路開閉弁）、挿入口開閉弁２９（搬送路開閉弁）等を具備する。
【００２９】
記録用紙収容部２１は、被記録媒体である記録用紙を貯蔵して搬送路２３へ給送するためのものであり、Ａ４サイズ以下の、Ｂ５サイズ、はがきサイズ等の各種サイズの記録用紙が収容可能である。詳細には、記録用紙収容部２１は、プリンタ筐体２０の背面側に凹設された空間を有し、該空間は、プリンタ筐体２０の内部に設けられた区画板４０と、プリンタ筐体２０の背面を構成する蓋４１とによって形成されている。蓋４１は、図に示すように、装置背面側に傾動可能に設けられており、該蓋４１を傾動して記録用紙収容部２１を開放し、所望の記録用紙を装填できるようになっている。記録用紙収容部２１に収容された複数枚の記録用紙Ｐは、図に示すように、記録面を装置内部側へ向けた立位姿勢で保持される。
【００３０】
図に示すように、記録用紙収容部２１の下部は搬送路２３へ続いており、区画板４０の下部には、記録用紙収容部２１に保持された記録用紙Ｐを１枚ずつ分離して搬送路２３へ供給するための給紙ローラ４２が設けられている。該給紙ローラ４２は、複数のギアが噛合されてなる不図示の駆動伝達機構により、モータ（不図示）の駆動が伝達されて回転するようになっている。一方、記録用紙収容部２１の下部には、該給紙ローラ４２に対向するようにして、記録用紙Ｐの下端部を給紙位置に保持するガイド４３が配設されている。該ガイド４３は、バネ等（不図示）により給紙ローラ４２側へ付勢されて、記録用紙Ｐを立位姿勢で給紙ローラ４２へ圧接するようになっている。したがって、記録用紙Ｐと圧接した状態で給紙ローラ４２が回転することにより、給紙ローラ４２との摩擦力により記録用紙Ｐが下方へ繰り出されて搬送路２３へ給送される。
【００３１】
なお、本実施の形態では、記録用紙収容部２１をプリンタ筐体２０内に設けているが、プリンタ筐体２０の外側の背面に沿って設けられたいわゆる給紙カセットとしてもよい。その際、給紙カセットが記録用紙を立位姿勢のまま搬送路２３へ給送することとしても、使用の際に給紙カセットを若干傾斜させるようにしてもよい。
【００３２】
図２に示すように、搬送路２３は、上記記録用紙収容部２１の下部から下方へ向かって形成され、プリンタ筐体２０の底部付近で略直角に曲折してプリンタ筐体２０の正面に形成された排紙口２２へ通じる所謂Ｌ字状のパスとなっている。したがって、記録用紙収容部２１から給送された記録用紙Ｐは、搬送路２３により立位姿勢で下方へ搬送された後、略９０°曲がって水平姿勢となり、排紙口２２から排出されることとなる。このように搬送路２３をＬ字状のパスとして、記録用紙Ｐを立位姿勢で保持して給送することにより、プリンタ筐体２０の厚みを薄くして複合機１を小型化するとともに、複合機１の設置に必要な床面積を小さくすることができる。
【００３３】
搬送路２３は、インクジェット記録ヘッド２４及びプラテン２６が配設されている箇所以外の主な箇所は、所定間隔で対向する外側ガイド面と内側ガイド面とから構成されている。このような外側ガイド面及び内側ガイド面は、例えばガイド部材をプリンタ筐体２０内に適宜固定することとしても、外側ガイド面をプリンタ筐体２０と一体に形成するようにしてもよい。また、図には示していないが、搬送路２３が湾曲している箇所等に、搬送コロを適宜配設すれば、ガイド面に接触する記録用紙Ｐの搬送が円滑となる。
【００３４】
また、図に示すように、Ｌ字状に形成された搬送路２３の最下部であって、排紙口２２及び手差し用挿入口２５近傍に、画像記録部であるインクジェット記録ヘッド２４が設けられている。該インクジェット記録ヘッド２４は、搬送路２３の内側において、その下面から下方へ向かってインク滴を吐出可能な姿勢で搬送路２３の幅方向、すなわち図１のｙ軸方向に走査可能に配設されている。一方、該インクジェット記録ヘッド２４の下方となる搬送路２３の外側に、プラテン２６が配設されている。
【００３５】
上記インクジェット記録ヘッド２４は、プリンタ筐体２０内に設置されたインクカートリッジ（不図示）からチューブ等の管路を通じて供給されるシアン（Ｃ）・マゼンダ（Ｍ）・イエロー（Ｙ）・ブラック（Ｋ）の各色インクを吐出しながら走査されることにより、プラテン２６上を搬送される記録用紙Ｐへ画像記録を行うものであり、図には示していないが、搬送路２３の内側において、搬送路２３の幅方向に延設されたガイド部材に摺動自在に設けられた走査キャリッジに搭載されており、該走査キャリッジがベルト駆動機構等によりガイド部材に沿って摺動されることにより、搬送路２３の幅方向を主走査方向として走査可能となっている。インクジェット記録ヘッド２４が各インクを吐出する構成は公知のものを採用することができ、例えば各チャネルの側壁を圧電材料で構成して、該圧電材料の変形によりインク滴を吐出させるものを用いればよい。このようなインクジェット記録ヘッド２４及び関連部材により画像記録部が構成されている。
【００３６】
プラテン２６は、搬送路２３を搬送される記録用紙Ｐを、上記インクジェット記録ヘッド２４から所定のヘッドギャップの位置に水平に支持するものであり、インクジェット記録ヘッド２４の画像記録範囲に渡って記録用紙Ｐを支持する水平面を有するものである。また、図には示していないが、インクジェット記録ヘッド２４の画像記録範囲外となるプラテン２６の側方には、インクの増粘防止や異物の除去のためにインクジェット記録ヘッド２４がインクの空吐出をする際に、該インクを溜め受けるための廃インクトレイや、インクジェット記録ヘッド２４から異物や気泡等を吸引除去するためのパージ機構が適宜設けられている。
【００３７】
上記インクジェット記録ヘッド２４の上流側には、搬送路２３を搬送されている記録用紙Ｐを狭持して、プラテン２６上へ搬送する一対の搬送ローラ４４及び押さえローラ４５が設けられている。一方、インクジェット記録ヘッド２４の下流側には、記録済みの記録用紙Ｐを狭持して搬送する一対の排紙ローラ４６及び拍車ローラ４７が設けられている。該搬送ローラ４４及び排紙ローラ４６には、不図示のモータから駆動力が伝達されて、所定の改行幅で間欠駆動するようになっている。
【００３８】
一方、押さえローラ４５は、搬送ローラ４４に所定の押圧力で押圧するように付勢されて回転自在に設けられており、搬送ローラ４４との間に記録用紙Ｐが進入した場合に該記録用紙Ｐの厚み分だけ退避して該記録用紙Ｐを搬送ローラ４４とともに狭持し、搬送ローラ４４の回転力を確実に記録用紙へ伝達するためのものである。拍車ローラ４７も排紙ローラ４６に対して同様に設けられたものであるが、記録済みの記録用紙Ｐと圧接するので、記録用紙Ｐに記録された画像を劣化させないようにローラ面が拍車状に凹凸したものとなっている。
【００３９】
また、図に示すように、上記排紙口２２近傍には、搬送路２３を開通する開姿勢と閉鎖する閉姿勢とに姿勢変化可能な排紙口開閉弁２８が設けられている。詳細には、排紙口開閉弁２８は、搬送路２３の幅と略同幅の薄平板状の部材であり、排紙口２２近傍の搬送路２３であって上記拍車ローラ４７の下流側に、搬送路２３を閉鎖するように突出し且つ回動可能に設けられており、バネ等の付勢部材（不図示）により搬送路２３の上流側へ回動するように付勢されている。排紙口開閉弁２８の先端は、排紙口開閉弁２８の対向側の搬送路２３のガイド部材に凹欠された受け部４８に係止されるようになっており、搬送路２３の上流側へ回動するように付勢された排紙口開閉弁２８は、該受け部４８に係止されて搬送路２３を閉鎖した閉姿勢となって排紙口２２を閉鎖する。また、排紙口開閉弁２８には、不図示のモータから駆動力が伝達されるようになっており、該駆動力により付勢力に反して下流側へ回動されて、搬送路２３を開通した開姿勢となって排紙口２２を開放する。
【００４０】
また、プリンタ筐体２０の背面側の外周面下部には、記録用紙を手差しで挿入するための開口として手差し用挿入口２５が形成されている。Ａ４サイズの普通紙のような記録用紙Ｐは、通常、上記記録用紙収納部２１に保持されて搬送路２３に連続的に給送して用いることが多いが、搬送路２３に沿って曲がり難いはがき等の厚紙や封筒、不定形の紙等に画像記録を行うために、上記手差し用挿入口２５が設けられている。手差し用挿入口２５からは水平方向に手差し用搬送路２３ａが形成されており、該手差し用搬送路２３ａが上記プラテン２６の直上流で搬送路２３と通じている。
【００４１】
上記手差し用挿入口２５には、用紙センサ４９が設けられている。該用紙センサ４９は、手差し用挿入口２５に記録用紙Ｐが挿入されているか否かを検知するものであり、該検知信号は電装部品２７により構成される制御部に送信される。また、上記手差し用挿入口２５の直下流側には、給紙ローラ５０及び用紙ガイド５１が、手差し用搬送路２３ａの対向位置に設けられている。詳細には、手差し用搬送路２３ａの上側に設けられた給紙ローラ５０は、複数のギアが噛合されてなる不図示の駆動伝達機構により、モータ（不図示）の駆動が伝達されて回転するようになっている。一方、手差し用搬送路２３ａの下側に設けられた用紙ガイド５１は、その上面が給紙ローラ５０に圧接するように上下動可能に配設されている。手差し用トレイ５から記録用紙Ｐを給送する際には、用紙ガイド５１が上昇して記録用紙Ｐを給紙ローラ５０に圧接し、該給紙ローラ５０が回転することにより、給紙ローラ５０と用紙ガイド５１とで狭持された記録用紙Ｐが手差し用搬送路２３ａへ送り込まれる。
【００４２】
また、図に示すように、上記手差し用挿入口２５の近傍には、手差し用搬送路２３ａを開通する開姿勢と閉鎖する閉姿勢とに姿勢変化可能な挿入口開閉弁２９が設けられている。詳細には、挿入口開閉弁２９は、手差し用搬送路２３ａの幅と略同幅の薄平板状の部材であり、手差し用挿入口２５近傍であって上記給紙ローラ５０の下流側に、手差し用搬送路２３ａを閉鎖するように突出し且つ回動可能に設けられており、バネ等の付勢部材（不図示）により手差し用搬送路２３ａの上流側へ回動するように付勢されている。挿入口開閉弁２９の先端は、挿入口開閉弁２９の対向側の手差し用搬送路２３ａのガイド部材に凹欠された受け部５２に係止されるようになっており、手差し用搬送路２３ａの上流側へ回動するように付勢された挿入口開閉弁２９は、該受け部５２に係止されて手差し用搬送路２３ａを閉鎖した閉姿勢となって手差し用挿入口２５を閉鎖する。また、挿入口開閉弁２９には、不図示のモータから駆動力が伝達されるようになっており、該駆動力により付勢力に反して下流側へ回動されて、手差し用搬送路２３ａを開通した開姿勢となって手差し用挿入口２５を開放する。
【００４３】
一方、スキャナ部３は、図２に示すように、スキャナ筐体３０及びプラテンガラス３２に内包されるようにして、イメージスキャナ３３、ガイドシャフト３４、走査キャリッジ３５等を具備する。
【００４４】
プラテンガラス３２は、画像読取りを行う原稿が密着される透明部材であり、画像読取りを行う原稿の最大サイズ、ここではＡ４サイズより若干大きい矩形平板状のものである。前述したように、扁平薄箱状のスキャナ筐体３０もＡ４サイズより大きなものであり、プラテンガラス３２は、スキャナ筐体３０がプリンタ筐体２０の外周面と対向する側の面に設けられて読取面３２ａを構成するとともに、スキャナ筐体３０の外周面の一部を構成している。
【００４５】
スキャナ筐体３０及びプラテンガラス３２により形成される内部空間には、該プラテンガラス３２に対向してイメージスキャナ３３が設けられている。イメージスキャナ３３は所謂ＣＩＳ（Contact Image Sensor）であり、プラテンガラス３２の縦方向（図１のｚ軸方向）に延設されてプラテンガラス３２の幅方向（図１のｙ軸方向）に走査可能となっている。詳細には、スキャナ筐体３０内において幅方向に延設されたガイドシャフト３４に、走査キャリッジ３５がガイドシャフト３４の軸方向へ摺動自在に設けられており、該走査キャリッジ３５に上記イメージスキャナ３３が搭載されている。該走査キャリッジ３５がベルト駆動機構等によってガイドシャフト３４に沿って摺動されることにより、イメージスキャナ３３がプラテンガラス３２の幅方向に走査可能となっている。
【００４６】
また、スキャナ筐体３０の下端部の両端付近には、その幅方向を軸方向として軸３６がそれぞれ設けられており、該軸３６がプリンタ筐体２０の軸受け部（不図示）に支持されて、スキャナ筐体３０が、軸３６を中心としてプリンタ筐体２０の正面側へ開閉可能となっている。
【００４７】
なお、プリンタ部２及びスキャナ部３の構成は一例であり、プリンタ部２を所謂インクジェットプリンタからレーザプリンタへ変更することは勿論可能であり、また、スキャナ部３のイメージセンサをＣＣＤ（Charge Coupled Device）を用いた縮小光学系のスキャナとすることも可能であるが、一般に、インクジェットプリンタの方がプリンタ部２の小型軽量化が容易であり、また、ＣＣＤよりＣＩＳの方が焦点深度が浅く、ＣＩＳを採用することによりスキャナ部３が薄型化されるので、複合機１を小型化・薄型化するには、これらを採用することが好適である。
【００４８】
本スキャナ部３のスキャナ筐体３０は、図２に示したように、プラテンガラス３２により構成される読取面３２ａをプリンタ筐体２０の正面側の外周面に閉止する閉姿勢から、該読取面３２ａが開放側へ垂直面から所定角度だけ傾斜した傾斜姿勢Ｐ１、さらには、該読取面３２ａが水平面となる位置からスキャナ筐体３０の上端側が下方へ所定角度だけ傾斜した開放姿勢Ｐ２に開閉可能となっている。
【００４９】
スキャナ部３を使用しない場合、すなわち複合機１を使用しない場合やプリンタ部２のみ使用する場合には、図２に示したように、スキャナ部３を閉姿勢とすることにより、縦置きされた複合機１の厚み方向のスペースを小さくして、オフィス空間等の省スペース化を図ることができる。また、プラテンガラス３２の読取面３２ａがプリンタ筐体２０の外周面により閉止されるので、該読取面３２ａに塵埃等が付着することが防止できる。
【００５０】
一方、スキャナ部３を使用する際には、スキャナ筐体３０をプリンタ筐体２０の正面側へ開くが、スキャナ筐体３０はプリンタ筐体２０の正面側に配設されているので、スキャナ筐体３０を開閉するために必要なスペースはプリンタ筐体２０の正面側、すなわち本複合機１の正面側に集中される。したがって、複合機１の背面側には、設置面以外のスペースが不要となるので、本複合機１を壁際等に設置する際に必要な設置スペースを小さくすることができる。
【００５１】
本スキャナ部３を使用する際には、画像読取りを行う原稿（被読取媒体）の厚み等に応じて、傾斜姿勢Ｐ１又は開放姿勢Ｐ２のいずれかにスキャナ筐体３０を開いて画像読取りを行う。スキャナ筐体３０を傾斜姿勢Ｐ１又は開放姿勢Ｐ２のいずれにするかは、原稿の厚みにより決定され、普通紙１枚のように薄い原稿を読み取る場合には傾斜姿勢Ｐ１とし、本や冊子のように分厚い原稿や重い原稿を読み取る場合には開放姿勢Ｐ２とする。なお、スキャナ筐体３０を一旦傾斜姿勢Ｐ１として原稿を読取面３２ａに位置せしめてから閉姿勢とした場合にも、スキャナ部３による画像読取りが可能である。
【００５２】
使用者は、スキャナ筐体３０の掴持部３１を掴んで、図２に示した閉姿勢から正面側へスキャナ筐体３０を開くと、該スキャナ筐体３０は、傾斜姿勢Ｐ１となる所定角度で仮固定される。このようなスキャナ筐体３０の仮固定は、例えば、軸３６に径方向に出没可能に付勢されたピンを設け、プリンタ筐体２０の軸受け部に該ピンと所定角度で係合するピン受け部を形成することにより実現できるが、その他の周知且つ任意の仮固定機構を採用することができる。
【００５３】
これにより、スキャナ筐体３０の上端とプリンタ筐体２０の外周面との間に隙間が生じるので、使用者は、複合機１の上方から、該隙間へ原稿を挿入することにより、該原稿を傾斜した読取面３２ａ上に位置せしめることができる。読取面３２ａは開放側、すなわち正面側へ傾斜しているので、使用者は複合機１の正面側から原稿の先端を斜め下方へ落とし込むようにして、上記隙間へ原稿を挿入すれば、該原稿は自重により読取面３２ａに密着する。
【００５４】
なお、図には示していないが、上記読取面３２ａの下端には、幅方向に渡ってストッパが設けられており、前述したように、上記隙間から挿入された原稿は、自重により読取面３２ａに沿って滑り落ち、該原稿の先端がストッパに当接することにより、読取面３２ａの下端を基準として所定位置に固定される。このように、使用者は、スキャナ筐体３０をプリンタ筐体２０との隙間を覗き込んで原稿の位置決めを行う必要がなく、原稿の位置決め作業が容易である。また、該原稿は、自重により読取面３２ａに密着するので、読取面３２ａと原稿との間に浮き等が生じ難く、イメージスキャナ３３による画像読取り精度が向上する。このような傾斜姿勢Ｐ１で、イメージスキャナ３３を走査することにより、薄手の原稿の画像読取りを行う。
【００５５】
また、スキャナ筐体３０を正面側へ開ききると、開放姿勢Ｐ２となる。この開放姿勢Ｐ２で、本等の厚手の原稿を読取面３２ａ上に載置する。厚手の原稿は重量もあるが、開放姿勢Ｐ２ではスキャナ筐体３０の上端が床面に接触しているので、厚手の原稿を読取面３２ａ上に載置しても、縦置き型のプリンタ部２が不安定となることはない。また、開放姿勢Ｐ２では、読取面３２ａが複合機１の正面側を向くように傾斜しているので、複合機１の正面側から原稿を読取面３２ａ上の所定位置に位置せしめることが容易である。このような開放姿勢Ｐ２で、イメージスキャナ３３を走査することにより、厚手の原稿の画像読取りを行う。
【００５６】
なお、本実施の形態で示したスキャナ部３の開閉姿勢は一例であり、例えば、傾斜姿勢Ｐ１と開放姿勢Ｐ２との間でのみスキャナ筐体３０が開閉するようにしても、閉姿勢と開放姿勢Ｐ２との姿勢変化のみで、傾斜姿勢Ｐ１で仮固定されないようにスキャナ筐体３０が開閉されるようにしてもよい。
【００５７】
図３は、本複合機１の電装部品２７による制御部の構成を示すブロック図である。図に示すように、ＣＰＵ（Central Processing Unit），ＲＯＭ（Read Only Memory），ＲＡＭ（Random Access Memory）で構成された中央処理部６０が、バス６１及びＡＳＩＣ（Application Specific Integrated Circuit）６２を介して、プリンタ部２の用紙センサ４９等の各種センサ及びモータ、スキャナ部３、操作パネル６、スロット部７等とデータ送受信可能に接続されている。また、本複合機１は、操作パネル６からの入力の他、コンピュータ（ＰＣ）６３と接続されて、該コンピュータ６３から送信された画像データや文書データに基づいて、記録用紙に画像や文書を記録することができる。そのために、コンピュータ６３とデータを送受信するためのインタフェース（Ｉ／Ｆ）も備えている。なお、本実施の形態で示した制御部の構成は一例であり、本発明の制御部が本実施の形態に示した構成に限定されないことは当然である。
【００５８】
以下、本複合機１のプリンタ部２による画像記録について説明する。
最初に、上記記録用紙収容部２１に保持された記録用紙Ｐを用いて画像記録を行う場合について説明する。操作パネル６又はコンピュータ６３からの指示に基づいて画像記録を開始する複合機１において、上記制御部が、まず、記録用紙収容部２１に保持された記録用紙Ｐを搬送路２３へ給送すべく、モータを駆動して給紙ローラ４２を回転する。これにより、図４に示すように、ガイド４３により給紙ローラ４２へ圧接された記録用紙Ｐが下方へ繰り出されて搬送路２３へ給送される。
【００５９】
また、上記制御部は、モータの駆動力を排紙口開閉弁２８にも伝達し、該駆動力により、搬送路２３を閉鎖していた排紙口開閉弁２８を付勢力に反して下流側へ回動されて、搬送路２３を開通した開姿勢となる。複合機１のように縦置き型のものは、床上に設置されることが多く、特に排紙口２２から埃や虫等の異物がプリンタ筐体２０内に進入しやく、該排紙口２２付近に配設されたインクジェット記録ヘッド２４等がプリンタ筐体２０内へ進入したゴミや埃、虫等の異物の影響を受けやすいが、排紙口２２に設けられた排紙口開閉弁２８により、画像記録が行われる場合、すなわち記録用紙Ｐが排紙口２２から排出される場合のほかは、排紙口開閉弁２８が閉姿勢となって排紙口２２が閉鎖されているので、排紙口２２からゴミや埃、虫等の異物がプリンタ筐体２０内に進入することが防止される。
【００６０】
搬送路２３へ給送された記録用紙Ｐはさらに搬送され、図４に示すように、搬送ローラ４４及び押さえローラ４５との間に記録用紙Ｐが進入すると、押さえローラ４５は記録用紙Ｐの厚み分だけ退避して該記録用紙Ｐを搬送ローラ４４とともに狭持し、搬送ローラ４４の回転力を記録用紙へ伝達する。そして、搬送ローラ４４及び押さえローラ４５に狭持されて搬送された記録用紙Ｐは、搬送路２３に沿って垂直方向から水平方向へ湾曲しながらプラテン２６上へ搬送される。
【００６１】
その後、記録用紙Ｐの先端がインクジェット記録ヘッド２４の記録領域に達すると、搬送ローラ４４及び押さえローラ４５に狭持された記録用紙Ｐは、所定の改行幅でプラテン２６上を間欠して搬送され、その改行毎にインクジェット記録ヘッド２４が走査されて、記録用紙Ｐの先端側から画像記録が行われる。画像記録が行われた記録用紙Ｐの先端側は、その後、図５に示すように、排紙ローラ４６及び拍車ローラ４７に狭持され、該記録用紙Ｐは先端側を排紙ローラ４６及び拍車ローラ４７に、後端側を搬送ローラ４４及び押さえローラ４５に狭持された状態で所定の改行幅で間欠して搬送され、同様にインクジェット記録ヘッド２４により画像記録が行われる。さらに記録用紙Ｐが搬送されると、記録用紙Ｐの後端が搬送ローラ４４及び押さえローラ４５を通過して、これらによる狭持が開放され、排紙ローラ４６及び拍車ローラ４７により所定の改行幅で間欠して搬送され、同様にインクジェット記録ヘッド２４により画像記録が行われる。
【００６２】
このようなインクジェット記録ヘッド２４による画像記録が行われる際に、図５に示すように、記録用紙Ｐの先端は排紙口２２からプリンタ筐体２０の外側へ突出するが、前述したように、排紙口開閉弁２８は下流側へ回動されて搬送路２３を開通した開姿勢となっているので、記録用紙Ｐを排紙口２２から突出させることが許容されている。記録用紙Ｐの所定領域に画像記録を行った後は、排紙ローラ４６が連続的に回転駆動され、排紙ローラ４６及び拍車ローラ４７により狭持された記録用紙Ｐは排紙口２２から排出される。そして、所定の枚数の画像記録を終えた後、上記制御部は、モータの駆動力を遮断して排紙口開閉弁２８を自由回動可能とし、搬送路２３を開通していた排紙口開閉弁２８は、付勢力により上流側へ回動して、搬送路２３を閉鎖した閉姿勢に戻る。これにより、排紙口２２が閉鎖され、異物がプリンタ筐体２０内に進入することが防止される。
【００６３】
つづいて、手差し用挿入口２５から記録用紙Ｐを手差しで挿入して画像記録を行う場合について説明する。まず、使用者は、記録用紙Ｐを手差し用挿入口２５にセットする。図６に示すように、記録用紙Ｐを手差し用挿入口２５にセットする際には、用紙ガイド５１は下方へ降りて給紙ローラ５０と接触しておらず、挿入口開閉弁２９は閉姿勢で手差し用搬送路２３ａを閉鎖している。したがって、記録用紙Ｐは、その先端が挿入口開閉弁２９に当接した状態で手差し用トレイ５にセットされる。このように、記録用紙Ｐが手差し用挿入口２５から給送される場合のほかは、挿入口開閉弁２９が閉姿勢となって手差し用挿入口２５が閉鎖されているので、該手差し用挿入口２５からゴミや埃、虫等の異物がプリンタ筐体２０内に進入することが防止される。
【００６４】
つぎに、操作パネル６又はコンピュータ６３からの指示に基づいて画像記録を開始する複合機１において、上記制御部が、まず、手差し用挿入口２５に記録用紙Ｐがセットされているかを用紙センサ４９の検知信号により確認する。用紙センサ４９が記録用紙Ｐを検知している場合には、モータの駆動力を挿入口開閉弁２９に伝達し、該駆動力により、手差し用搬送路２３ａを閉鎖していた挿入口開閉弁２９を、付勢力に反して下流側へ回動させて、手差し用搬送路２３ａを開通した開姿勢とする。用紙センサ４９が記録用紙Ｐを検知していない場合には、制御部は、操作パネル６にエラー表示を行い、手差し用トレイ５に記録用紙Ｐをセットするよう促す。
【００６５】
また、上記制御部は、モータの駆動力を排紙口開閉弁２８に伝達し、該駆動力により、搬送路２３を閉鎖していた排紙口開閉弁２８が、付勢力に反して下流側へ回動して、搬送路２３を開通した開姿勢となる。前述と同様に、記録用紙Ｐが手差し用挿入口２５から給送される場合のほかは、排紙口開閉弁２８が閉姿勢となって排紙口２２が閉鎖されているので、排紙口２２からゴミや埃、虫等の異物がプリンタ筐体２０内に進入することが防止される。
【００６６】
その後、該記録用紙Ｐを手差し用搬送路２３ａへ給送すべく、用紙ガイド５１を上昇して記録用紙Ｐを給紙ローラ５０へ圧接するとともに、モータを駆動して該給紙ローラ５０を回転する。これにより、図７に示すように、記録用紙Ｐが繰り出されて手差し用搬送路２３ａへ給送される。
【００６７】
手差し用搬送路２３ａへ給送された記録用紙Ｐはさらに搬送されて搬送路２３へ進入し、該記録用紙Ｐの先端がインクジェット記録ヘッド２４の記録領域に達すると、給紙ローラ５０により、記録用紙Ｐが所定の改行幅でプラテン２６上を間欠して搬送され、その改行毎にインクジェット記録ヘッド２４が走査されて、記録用紙Ｐの先端側から画像記録が行われる。画像記録が行われた記録用紙Ｐの先端側は、その後、図８に示すように、排紙ローラ４６及び拍車ローラ４７に狭持されて、同様に所定の改行幅で間欠して搬送されてインクジェット記録ヘッド２４により画像記録が行われる。さらに記録用紙Ｐが搬送されると、記録用紙Ｐの後端が給紙ローラ５０を通過し、排紙ローラ４６及び拍車ローラ４７により所定の改行幅で間欠して搬送されて、同様にインクジェット記録ヘッド２４により画像記録が行われる。
【００６８】
このようなインクジェット記録ヘッド２４による画像記録が行われる際に、図８に示すように、記録用紙Ｐの先端は排紙口２２からプリンタ筐体２０の外側へ突出するが、前述したように、排紙口開閉弁２８は下流側へ回動されて、搬送路２３を開通した開姿勢となっているので、記録用紙Ｐを排紙口２２から突出させることが許容されている。また、図には示していないが、記録用紙Ｐの後端も同様に、挿入口開閉弁２９が開姿勢となっているので、記録用紙Ｐを手差し用挿入口２５から突出させることも許容されている。
【００６９】
記録用紙Ｐの所定領域に画像記録を行った後は、排紙ローラ４６が連続的に回転駆動され、排紙ローラ４６及び拍車ローラ４７により狭持された記録用紙Ｐは排紙口２２から排出される。そして、所定の枚数の画像記録を終えた後、上記制御部は、モータの駆動力を遮断して排紙口開閉弁２８及び挿入口開閉弁２９を自由回動可能とし、搬送路２３を開通していた排紙口開閉弁２８、及び手差し用搬送路２３ａを開通していた挿入口開閉弁２９がともに付勢力により上流側へ回動して、搬送路２３及び手差し用搬送路２３ａをそれぞれ閉鎖した閉姿勢となる。これにより、排紙口２２及び手差し用挿入口２５がともに閉鎖され、異物がプリンタ筐体２０内に進入することが防止される。
【００７０】
このように、本複合機１によれば、排出口２２は記録用紙Ｐが排出されるときのみ開放され、また、手差し用挿入口２５は記録用紙Ｐが給送されるときのみ開放され、それ以外のときは排紙口開閉弁２８及び挿入口開閉弁２９によりそれぞれ閉鎖されるので、排紙口２２及び手差し用挿入口２５からプリンタ筐体２０内への異物の進入を防ぐことができる。また、排紙口開閉弁２８及び挿入口開閉弁２９は記録用紙Ｐの搬送に連動して自動的に姿勢変化するので、排紙口開閉弁２８又は挿入口開閉弁２９を閉姿勢とした状態で記録用紙Ｐを搬送したり、不使用時に排紙口開閉弁２８又は挿入口開閉弁２９を開姿勢で放置することがない。特に、本複合機１のように、プリンタ筐体２０の正面側には排紙口２２が形成されるとともに、背面側には手差し用挿入口２５が形成され、また、該排紙口２２及び手差し用挿入口２５付近にインクジェット記録ヘッド２４を含む記録ユニットが配設される場合に、異物の進入防止効果が顕著に発揮される。
【００７１】
なお、本実施の形態では、画像記録をする際に、排紙口開閉弁２８又は挿入口開閉弁２９にモータの駆動力を伝達し、該駆動力により排紙口開閉弁２８又は挿入口開閉弁２９を付勢力に反して下流側へ回動して、搬送路２３又は手差し用搬送路２３ａを開通し、画像記録終了後に該駆動力を遮断して排紙口開閉弁２８又は挿入口開閉弁２９を自由回動状態として、付勢力により閉姿勢へ戻すこととしたが、排紙口開閉弁２８又は挿入口開閉弁２９にモータの駆動力を伝達せずに、記録用紙Ｐが排紙口開閉弁２８又は挿入口開閉弁２９に当接した状態でさらに押進することにより、排紙口開閉弁２８又は挿入口開閉弁２９が付勢力に反して搬送路２３の下流側へ回動するようにしてもよい。一方、排紙口開閉弁２８又は挿入口開閉弁２９の開閉の両姿勢変化ともにモータの駆動力で行うこととしてもよい。
【００７２】
以下、排紙口開閉弁２８及び挿入口開閉弁２９に駆動力を伝達せずに、付勢部材の付勢力のみで姿勢変化を行う場合の変形例について説明する。
排紙口開閉弁２８及び挿入口開閉弁２９に駆動力が伝達されないので、上記記録用紙収容部２１に保持された記録用紙Ｐを用いて画像記録を行う場合においては、図９に示すように、インクジェット記録ヘッド２４により画像記録が行われて排紙ローラ４６及び拍車ローラ４７に狭持された記録用紙Ｐの先端は、搬送路２３を閉鎖している排紙口開閉弁２８に当接する。排紙ローラ４６及び拍車ローラ４７により搬送力が付与されている記録用紙Ｐは、図１０に示すように、その先端が排紙口開閉弁２８に当接した状態でさらに押進して、排紙口開閉弁２８を付勢力に反して搬送路２３の下流側へ回動する。これにより、排紙口開閉弁２８は、閉姿勢から開姿勢に姿勢変化し、記録用紙Ｐは、さらに排紙口２２へ搬送される。記録用紙Ｐが排出された後、排紙口開閉弁２８は、付勢力により開姿勢から閉姿勢に姿勢変化して、搬送路２３を閉鎖する。
【００７３】
手差し用挿入口２５から記録用紙Ｐを手差しで画像記録を行う場合においては、図１１に示すように、手差し用挿入口２５にセットされた記録用紙Ｐが、給紙ローラ５０により手差し用搬送路２３ａへ給送され、該記録用紙Ｐの先端は、手差し用搬送路２３ａを閉鎖している挿入口開閉弁２９に当接する。給紙ローラ５０により搬送力が付与されている記録用紙Ｐは、図１２に示すように、その先端が挿入口開閉弁２９に当接した状態でさらに押進して、挿入口開閉弁２９を付勢力に反して手差し用搬送路２３ａの下流側へ回動する。これにより、挿入口開閉弁２９は、閉姿勢から開姿勢に姿勢変化し、記録用紙Ｐはプラテン２６上へ搬送される。
【００７４】
つづいて、インクジェット記録ヘッド２４により画像記録が行われて排紙ローラ４６及び拍車ローラ４７に狭持された記録用紙Ｐの先端は、前述と同様に、搬送路２３を閉鎖している排紙口開閉弁２８に当接した後、排紙ローラ４６及び拍車ローラ４７による搬送力によって排紙口開閉弁２８に当接した状態でさらに押進して、排紙口開閉弁２８を付勢力に反して搬送路２３の下流側へ回動する。これにより、排紙口開閉弁２８は、閉姿勢から開姿勢に姿勢変化し、記録用紙Ｐは、さらに排紙口２２へ搬送される。記録用紙Ｐの後端が手差し用搬送路２３ａを通過すると、挿入口開閉弁２９は、付勢力により開姿勢から閉姿勢に姿勢変化して、搬送路２３を閉鎖し、さらに、記録用紙Ｐが排出されると、排紙口開閉弁２８は、付勢力により開姿勢から閉姿勢に姿勢変化して、搬送路２３を閉鎖する。
【００７５】
このように、排紙口開閉弁２８又は挿入口開閉弁２９にモータの駆動力を伝達せずに、記録用紙Ｐが排紙口開閉弁２８又は挿入口開閉弁２９に当接した状態でさらに押進することにより、排紙口開閉弁２８又は挿入口開閉弁２９が付勢力に反して搬送路２３の下流側へ回動するようにしても、排出口２２は記録用紙Ｐが排出されるときのみ開放され、また、手差し用挿入口２５は記録用紙Ｐが給送されるときのみ開放され、それ以外のときは排紙口開閉弁２８及び挿入口開閉弁２９によりそれぞれ閉鎖されるので、排紙口２２及び手差し用挿入口２５からプリンタ筐体２０内への異物の進入を防ぐことができる。
【００７６】
なお、上記排紙口開閉弁２８及び挿入口開閉弁２９に代えて、弾性変形可能な可撓性の合成樹脂フィルム等を、その先端が搬送路２３又は手差し用搬送路２３ａの対向側へ接触するように下流側へ向かって斜めに突出させて、下流側へは弾性変形可能とし、上流側へは弾性変形できないように設けることとしても、前述と同様の作用効果を奏することが可能であるが、合成樹脂フィルム等は原稿の挿入等により回復不能に変形するおそれがあるので、上記排紙口開閉弁２８及び挿入口開閉弁２９のように、記録用紙Ｐや原稿等により容易に変形しない薄平板状のものが好適である。
【図面の簡単な説明】
【００７７】
【図１】図１は、本発明の実施の形態に係る複合機１の外観構成を示す斜視図である。
【図２】図２は、複合機１の内部構成を示す縦断面図である。
【図３】図３は、電装部品２７による制御部の構成を示すブロック図である。
【図４】図４は、記録用紙収容部２１から記録用紙Ｐが搬送される状態を説明するための模式図である。
【図５】図５は、記録用紙収容部２１から記録用紙Ｐが搬送される状態を説明するための模式図である。
【図６】図６は、手差し用挿入口２５から記録用紙Ｐが搬送される状態を説明するための模式図である。
【図７】図７は、手差し用挿入口２５から記録用紙Ｐが搬送される状態を説明するための模式図である。
【図８】図８は、手差し用挿入口２５から記録用紙Ｐが搬送される状態を説明するための模式図である。
【図９】図９は、本発明の変形例において、記録用紙収容部２１から記録用紙Ｐが搬送される状態を説明するための模式図である。
【図１０】図１０は、本発明の変形例において、記録用紙収容部２１から記録用紙Ｐが搬送される状態を説明するための模式図である。
【図１１】図１１は、本発明の変形例において、手差し用挿入口２５から記録用紙Ｐが搬送される状態を説明するための模式図である。
【図１２】図１２は、本発明の変形例において、手差し用挿入口２５から記録用紙Ｐが搬送される状態を説明するための模式図である。
【図１３】図１３は、従来のインクジェット記録装置９０の外観構成を示す斜視図である。
【符号の説明】
【００７８】
１・・・複合機（画像記録装置）
２０・・・プリンタ筐体（装置筐体）
２２・・・排紙口（被記録媒体排出口）
２３・・・搬送路
２３ａ・・・手差し用搬送路（搬送路）
２４・・・インクジェット記録ヘッド（画像記録部）
２５・・・手差し用挿入口（被記録媒体挿入口）
２８・・・排紙口開閉弁（搬送路開閉弁）
２９・・・挿入口開閉弁（搬送路開閉弁）
【図１】
2006205541.tif 000003
【図２】
2006205541.tif 000004
【図３】
2006205541.tif 000005
【図４】
2006205541.tif 000006
【図５】
2006205541.tif 000007
【図６】
2006205541.tif 000008
【図７】
2006205541.tif 000009
【図８】
2006205541.tif 000010
【図９】
2006205541.tif 000011
【図１０】
2006205541.tif 000012
【図１１】
2006205541.tif 000013
【図１２】
2006205541.tif 000014
【図１３】
2006205541.tif 000015